(57)【要約】【課題】  独創性と審美性とを備えたキャンドルを提供する。【解決手段】  花芯２と複数の花弁３とを具備する花を備え、前記花芯は、蝋を加温して溶かした上で、スプーン一杯分の蝋を平坦面上で薄く伸ばした複数の可塑状態の蝋シートのうち、第１の蝋シートが、折り畳み丸められ、竹ぐしなどの串で表面に模様が形成された球形部材２１と、第２の蝋シートから前記串により型抜きされ、外周がギザギザに形成され、中央部が凹状に窪んで形成された椀状部材２２と、を有し、前記椀状部材が、前記球形部材の上面を露出して、前記球形部材を下方から包むように、配置されてなり、前記各花弁は、略円形の第３の蝋シートが、外周に複数のタックが設けられ、中央部が凹状に窪んだ椀状に形成され、前記花は、前記複数の花弁が、前記花芯の少なくとも上面を露出して、前記花芯を下方から囲うように、周方向に少しずつ位置をずらして配置されたキャンドル１。【選択図】図１
2015113470.tif 000002
【特許請求の範囲】
【請求項１】
パラフィンワックスまたはミツロウなどの蝋で形成されたキャンドルであって、
花芯と複数の花弁とを具備する花を備え、
前記花芯は、
蝋を加温して溶かしたうえで、スプーン一杯分の蝋を平坦面上で薄く伸ばした複数の可塑状態の蝋シートのうち、第１の蝋シートが、折り畳み丸められ、竹ぐしなどの串で表面に模様が形成された球形部材と、
第２の蝋シートから前記串により型抜きされ、外周がギザギザに形成され、中央部が凹状に窪んで形成された椀状部材と、を有し、
前記椀状部材が、前記球形部材の上面を露出して、前記球形部材を下方から包み込むように、配置されてなり、
前記各花弁は、
略円形の第３の蝋シートが、外周縁部に複数のタックが設けられ、中央部が凹状に窪んだ椀状に形成されてなり、
前記花は、
前記複数の花弁が、前記花芯との間に隙間をあけて前記花芯を露出するように下方から囲い、周方向に少しずつ位置をずらして配置された、
キャンドル。
【請求項２】
前記椀状部材を複数備え、
前記椀状部材が、前記球形部材の上面を露出して、前記球形部材を下方から包むように、周方向に少しずつ位置をずらして配置されている、
請求項１に記載のキャンドル。
【請求項３】
前記各花弁は、
略円形の第３の蝋シートが、外周縁部の複数のタックに代えて外周がギザギザに形成され、または、外周縁部の複数のタックに加えて外周がギザギザに形成され、中央部が凹状に窪んだ椀状に形成されてなる、
請求項１または２に記載のキャンドル。
【請求項４】
蝋で形成された茎と葉とを更に備え、
前記茎は、第４の蝋シートを折り畳み棒状に形成され、
前記葉は、第５の蝋シートから、前記串により表面に葉脈の模様が形成され葉の形に型抜きされてなり、
前記茎の一端と、前記花の底部と、が溶着され、
前記葉の根元と、前記茎と、が溶着された、
請求項１乃至３のいずれか一項に記載のキャンドル。
【請求項５】
前記花芯は挿通孔を有し、
前記挿通孔に挿入され、前記花芯の表面から一部が突出した糸芯を更に備える、
請求項１乃至４のいずれか一項に記載のキャンドル。
【請求項６】
蝋で形成された土台と、糸芯と、を更に備え、
前記土台は、前記糸芯が挿入される挿通孔を有し、
前記花と前記土台とが溶着された、
請求項１乃至４のいずれか一項に記載のキャンドル。
【請求項７】
パラフィンワックスまたはミツロウなどの蝋で形成されたキャンドルの製造方法であって、花芯を作成する工程と、複数の花弁を作成する工程と、前記花芯と前記複数の花弁を組み合わせて花を作成する工程と、を備え、
前記花芯を作成する工程は、蝋を加温して溶かしたうえで、スプーン一杯分の蝋を平坦面上で薄く伸ばした複数の可塑状態の蝋シートを作成する工程と、第１の蝋シートを折り畳み丸め、竹ぐしなどの串で表面に模様を形成し、球形部材を作成する工程と、第２の蝋シートから前記串により型抜きし、外周をギザギザに形成し、中央部を凹状に窪ませた、椀状部材を作成する工程と、前記椀状部材を、前記球形部材の上面を露出して、前記球形部材を下方から包み込むように、配置する工程と、を有し
前記複数の花弁を作成する工程は、蝋を加温して溶かしたうえで、スプーン一杯分の蝋を平坦面上で薄く伸ばして、可塑状態の略円形の第３の蝋シートを作成する工程と、前記第３の蝋シートを、外周縁部に複数のタックを設け、中央部を凹状に窪んだ椀状に形成する工程と、を有し、
前記花芯と前記複数の花弁を組み合わせて花を作成する工程は、前記複数の花弁を、前記花芯との間に隙間をあけて、前記花芯を露出するように下方から囲い、周方向に少しずつ位置をずらして組み合わせる工程を有する、
キャンドルの製造方法。
【請求項８】
前記花芯を作成する工程において、
前記椀状部材を複数作成する工程と、複数の椀状部材を、前記球形部材の上面を露出して、該球形部材を下方から包むように、周方向に少しずつ位置をずらして配置する工程と、を有する、
請求項７に記載のキャンドルの製造方法。
【請求項９】
前記複数の花弁を作成する工程は、
前記第３の蝋シートを、外周縁部の複数のタックにかえて外周をギザギザに形成する工程、または、外周縁部の複数のタックに加えて外周をギザギザに形成する工程と、
中央部を凹状に窪ませ椀状に形成する工程と、を有する、
請求項８または９に記載のキャンドルの製造方法。
【請求項１０】
蝋で形成された茎と葉を作成する工程と、
前記茎の一端と、前記花の底部と、を溶着する工程と、
前記葉の根元と、前記茎と、を溶着する工程と、
を更に備え、
前記茎を作成する工程は、第４の蝋シートを折り畳み棒状に形成し、
前記葉を作成する工程は、第５の蝋シートから、前記串により表面に葉脈の模様を形成する工程と、葉の形に型抜きする工程と、を有する、
請求項７乃至９のいずれか一項に記載のキャンドルの製造方法。
【発明の詳細な説明】
【技術分野】
【０００１】
本発明は、蝋で形成された花を備えたキャンドルに関する。
【背景技術】
【０００２】
従来のキャンドルは、一般的に、糸芯を配置した型に、溶かした蝋を流し込むことによって作製されている（例えば、特許文献１参照）。
【先行技術文献】
【特許文献】
【０００３】
【特許文献１】特開平０９−２２７８９４号公報（第２頁、第１図）
【発明の概要】
【発明が解決しようとする課題】
【０００４】
しかしながら、従来のキャンドルは、溶かした蝋を型に流し込むだけで手軽に作製できる反面、複雑な形状は型の製造が困難であり、コストもかかり、比較的単純で画一的な形状のものになる傾向がある。
【０００５】
本発明は、独創性と審美性とを有する花を備えたキャンドルを提供することを目的としている。
【課題を解決するための手段】
【０００６】
本発明に係る一の態様のキャンドルは、パラフィンワックスまたはミツロウなどの蝋で形成されたキャンドルであって、花芯と複数の花弁とを具備する花を備え、
前記花芯は、蝋を加温して溶かしたうえで、スプーン一杯分の蝋を平坦面上で薄く伸ばした複数の可塑状態の蝋シートのうち、第１の蝋シートが、折り畳み丸められ、竹ぐしなどの串で表面に模様が形成された球形部材と、第２の蝋シートから前記串により型抜きされ、外周がギザギザに形成され、中央部が凹状に窪んで形成された椀状部材と、を有し、前記椀状部材が、前記球形部材の上面を露出して、前記球形部材を下方から包み込むように、配置されてなり、
前記各花弁は、略円形の第３の蝋シートが、外周縁部に複数のタックが設けられ、中央部が凹状に窪んだ椀状に形成されてなり、
前記花は、前記複数の花弁が、前記花芯との間に隙間をあけて前記花芯を露出するように下方から囲い、周方向に少しずつ位置をずらして配置されている。
【０００７】
この構成によれば、複雑な形状で、独創的且つ審美性を有するキャンドルとなる。また、花弁と花芯を備えていて、花芯の球形部材が雌しべのようになり、花芯の椀状部材のギザギザが雄しべのようになり、実物の花のような綺麗なキャンドルとなる。なお、蝋にはミツロウを用いることが好ましく、ミツロウはパラフィンワックスに比べてやわらかくて延びやすいため、前記花弁や前記花芯などの加工がしやすくなる。また、蝋を加温して溶かす際に染料を混ぜることで、色付きの蝋シートとすることができ、任意の色のキャンドルとすることができる。さらに、この方法を用いて、例えば、第１の蝋シートおよび第２の蝋シートと、第３の蝋シートの色を変えれば、花弁と花芯とを異なる色にすることができ、カラフルなキャンドルとすることもできる。
【０００８】
また、上記態様において、前記椀状部材を複数備え、前記椀状部材が、前記球形部材の上面を露出して、前記球形部材を下方から包むように、周方向に少しずつ位置をずらして配置されてもよい。
【０００９】
また、上記態様において、前記各花弁は、略円形の第３の蝋シートが、外周縁部の複数のタックに代えて外周がギザギザに形成され、または、外周縁部の複数のタックに加えて外周がギザギザに形成され、中央部が凹状に窪んだ椀状に形成されてもよい。
【００１０】
また、上記態様において、蝋で形成された茎と葉とを更に備え、前記茎は、第４の蝋シートを折り畳み棒状に形成され、前記葉は、第５の蝋シートから、前記串により表面に葉脈の模様が形成され葉の形に型抜きされてなり、前記茎の一端と、前記花の底部と、が溶着され、前記葉の根元と、前記茎と、が溶着されてもよい。この構成によれば、茎と葉を備えた花を有するキャンドルとできる。
【００１１】
また、上記態様において、前記花芯は挿通孔を有し、前記挿通孔に挿入され、前記花芯の表面から一部が突出した糸芯を更に備える。この構成によれば、花単体のキャンドルとでき、キャンドルの使用時に、花芯の中心に火が灯り、花弁が灯火を囲み非常に美しい。
【００１２】
また、上記態様において、蝋で形成された土台と、糸芯と、を更に備え、前記土台は、前記糸芯が挿入される挿通孔を有し、前記花と前記土台とが溶着されてもよい。この構成によれば、土台に花が飾られたようなキャンドルとなる。また、土台と花とは蝋同士が溶着されるので、つなぎ目が綺麗で、また土台と花の双方をキャンドルの燃料とできる。
【発明の効果】
【００１３】
本発明のキャンドルによれば、独創性に富み、審美性に優れたキャンドルを提供することができる。
【図面の簡単な説明】
【００１４】
【図１】本発明の第１実施形態にかかるキャンドルの斜視図。
【図２Ａ】図１のキャンドルの作製工程１を示す説明図。
【図２Ｂ】図１のキャンドルの作製工程２を示す説明図。
【図３Ａ】図１のキャンドルの変形例１を示す斜視図。
【図３Ｂ】図１のキャンドルの変形例２を示す斜視図。
【図４】本発明の第２実施形態にかかるキャンドルの斜視図。
【発明を実施するための形態】
【００１５】
以下、本発明にかかる実施形態を図面に基づき説明するが、本発明は下記実施形態に限定されるものではない。特に、花の形状、花の種類、花の色やコントラストについては、下記実施形態に限定されない。
【００１６】
＜第１実施形態＞
［１．キャンドルの構造］
図１は、本発明の第１実施形態にかかるキャンドル１の斜視図である。図１に示すように、本実施形態のキャンドル１は、アネモネの花を模した花形である。キャンドル１は、花芯２と、複数の花弁３と、糸芯４とを備える。
【００１７】
花芯２は、キャンドル１の中心部に位置する球形部材２１と、球形部材２１の上面を露出して包む複数の椀状部材２２とを備える。球形部材２１は、上面の中心から下方に伸びる挿通孔２１ａを有し、挿通孔２１ａには糸芯４が挿入されている。糸芯４は、球形部材２１の上面から一部が突出している。また、球形部材２１の上面には、例えば、雌しべを模した格子状の模様が刻設されている。
【００１８】
椀状部材２２は、中央が凹状に窪んだ椀状であり、外周がギザギザに形成されている。そして、複数の椀状部材２２が、周方向に少しずつずらして重ねられている。また、椀状部材２２の窪みには、球形部材２１が配されている。また、椀状部材２２の外周のギザギザ部分は、球形部材２１の周りを囲むように上方に向けてのびていて、花の雄しべのようになっている。
【００１９】
花弁３は、中央が凹状に窪んだ、貝殻のような浅い椀状であり、外周縁部の全周にわたって複数のタックがとられている。そして、複数の花弁３が、花芯２の底部中央を中心に周方向にずらして、花芯２を囲むように配置されている。また、隣り合う花弁３は、その一部が互いに重ね合わされて、複数の花弁３が全体で深い椀状を形成している。なお、花弁３は蝋でできているので、複数の花弁３は蝋の粘着力により固定してもよいし、しっかりと固定するために加温して溶着してもよい。また、より確実に固定するために、複数の花弁３で形成された椀状体の底部に蝋の底板を溶着してもよい。
【００２０】
［２．キャンドルの作製工程］
次に、キャンドル１の作製工程について図２Ａ、図２Ｂを参照しつつ説明する。図２Ａは、キャンドル１の作製工程１を示す説明図である。図２Ｂは、キャンドル１の作製工程２を示す説明図である。
【００２１】
（１）材料のミツロウを入れたホーロー鍋を、約７０℃に設定した電磁調理器に載せてミツロウを溶かす。ミツロウは、パラフィンワックスに比べてやわらかく延ばしやすいため、加工がしやすい。
【００２２】
（２）溶かしたミツロウを耐熱カップに入れ、緑色の染料を加えて着色する。
【００２３】
（３）耐熱カップからスプーン５で１杯弱のミツロウをすくって、平坦な面においたクッキングシート６上に略円形状に薄く延ばす（図２Ａ（ａ））。
【００２４】
（４）ミツロウがある程度冷えて可塑状体の蝋シートＸとなった後、竹ぐし７を用いて、この蝋シートＸから外周がギザギザの略円形の歯車状シート２２Ｘを複数型取りする（図２Ａ（ｂ））。なお、歯車状シート２２Ｘを蝋シートＸから剥がすとき、歯車状シート２２Ｘが破れないように、歯車状シート２２Ｘとクッキングシート６との間に竹ぐし７を差し込んで、そっと剥がすとよい。
【００２５】
（５）複数の歯車状シート２２Ｘを、それぞれの略中心を合わせ、周方向に少しずつずらして重ね合わせる（図２Ａ（ｃ））。
【００２６】
（６）一方、別の蝋シートＸを半分ちぎり、折り畳んで丸めて球形部材２１を作製する（図２Ａ（ｄ）（ｅ））。
【００２７】
（７）球形部材２１の上面に、竹ぐし７を用いて格子状の模様を刻設し（図２Ａ（ｆ））、複数の歯車状シート２２Ｘの中央に載せる（図２Ａ（ｇ））。
【００２８】
（８）そして、複数の歯車状シート２２Ｘを球形部材２１を包むように、歯車状シート２２Ｘの外周を折り曲げて、花芯２を作製する（図２Ａ（ｈ））。
【００２９】
（９）一方、溶かしたミツロウを耐熱カップに入れ、白色の染料を加えて着色する。耐熱カップからスプーン５で１杯弱のミツロウをすくって、平坦な面においたクッキングシート６上に略円形状に薄く延ばす（図２Ｂ（ｉ））。
【００３０】
（１０）ミツロウがある程度冷えて可塑状体の蝋シートＹとなった後、竹ぐし７を用いて、破れないようにクッキングシート６からそっと剥がす。
【００３１】
（１１）剥がした蝋シートＹを半分に軽く折り曲げて戻し、対向する外周端からそれぞれ中心線に向けて軽く折り曲げて戻し癖づけする（図２Ｂ（ｊ））。そして、手で外周縁部を少しずつ重ねるようにタックをとっていき（図２Ｂ（ｋ））、浅い椀状の花弁３を作製する。この工程を繰り返して、複数の花弁３を作製する。
【００３２】
（１２）隣り合う花弁３の一部が互いに重なるようにして、複数の花弁３が全体で深い椀状を形成するように重ね合わせて、形を整える（図２Ｂ（ｌ））。
【００３３】
（１３）深い椀状を形成した複数の花弁３の中央に、上記の花芯２を少し押しつけるように固定した後、形を整える（図２Ｂ（ｍ）（ｎ））。このとき、花弁３をしっかりと固定したい場合は、再度耐熱カップからスプーン５で１杯弱のミツロウをすくって平坦な面においたクッキングシート６上に略円形状に薄く延ばし、この上に花を置き、底部に蝋を溶着固定してもよい。
【００３４】
（１４）花芯２の中心に竹ぐし７で挿通孔２１ａをあけ（図２Ｂ（ｏ））、挿通孔２１ａに糸芯４を差し込む。なお、挿通孔２１ａの深さは花芯２の底部付近まであけ、糸芯４はその一部が花芯２の上面から突出した状態とする。
【００３５】
（１５）最後に形を整えて、キャンドル１が完成する（図２Ｂ（ｐ））。
【００３６】
［３．キャンドルの変形例］
次に、キャンドル１の変形例について説明する。上記のキャンドル１は、花芯２に糸芯４を取り付けたものであるが、図３Ａに示すような、キャンドル１０としてもよい。キャンドル１０は、キャンドル１の底部に、蝋で作製した茎１１を溶着し、蝋で作製した葉１２を茎１１に溶着している。茎１１は、例えば、蝋シートを折り畳み棒状にして作製する。葉１２は、例えば、竹ぐし７を用いて、蝋シートから、外周がギザギザの略楕円形に型取りし、表面に葉脈の模様を刻設して作製する。なお、キャンドル１と茎１１と葉１２とは蝋で溶着されているので、茎１１と葉１２とも、キャンドルが燃える燃料となる。
【００３７】
また、図３Ｂに示すような、キャンドル１３としてもよい。キャンドル１３は、キャンドル１から糸芯４および挿通孔２１ａを除した花１４を、蝋で作製した土台１５に溶着している。土台１５には糸芯１６が取り付けられている。このとき、花１４と土台１５とは蝋で溶着されているので、花１４と土台１５とも、キャンドルが燃える燃料となる。
【００３８】
なお、糸芯４および挿通孔２１ａを備えたキャンドル１を、そのまま土台１５に取り付けてもよい。この場合も、キャンドル１と土台１５とは蝋で溶着されているので、キャンドル１と土台１５とも、キャンドルが燃える燃料となる。
【００３９】
［４．本実施形態の効果］
上記した本実施形態のキャンドルによれば、花弁が球形部材と椀状部材とからなり、複数の花弁が一枚一枚作製されていて、独創的で且つ実物の花のような審美性に優れたキャンドルとなる。また、キャンドルは、コストのかかる複雑な型を用いることなく、比較的安価で容易に作製することができる。また、このキャンドルによれば、花芯と花弁とに用いる蝋の色を変えることもでき、さらに審美性が高いキャンドルとなる。
【００４０】
＜第２実施形態＞
次に、第２実施形態のキャンドルについて説明する。第２実施形態のキャンドルは、第１実施形態とは別の形状のキャンドルである。図４に示すように、本実施形態のキャンドル１００は、マムの花を模した蝋で作製された花１１０と、土台１４０と、糸芯１５０とを備える。花１１０は、花芯１２０と、複数の花弁１３０とを備える。
【００４１】
花芯１２０は、花１１０の中心部に位置する球形部材１２１と、球形部材１２１の上面の一部を露出して包む椀状部材１２２とを備える。球形部材１２１の上面には、例えば、雌しべを模した格子状の模様が刻設されている。
【００４２】
椀状部材１２２は、中央が凹状に窪んだ椀状であり、外周がギザギザに形成されている。椀状部材１２２の窪みには、球形部材１２１が配されている。また、椀状部材１２２の外周のギザギザ部分は、球形部材１２１に沿って上方にのびていて、花の雄しべのようになっている。
【００４３】
花弁１３０は、中央が凹状に窪んだ、貝殻のような浅い椀状であり、外周がギザギザに形成されている。そして、複数の花弁１３０が、花芯１２０の底部中央を中心に周方向にずらして、花芯１２０を囲むように配置されている。また、隣り合う花弁１３０は、その一部が互いに重ね合わされて、複数の花弁１３０が、全体で浅い椀状を形成している。
【００４４】
そして、花１１０は土台１４０の上面に載置され、花１１０と土台１４０とが溶着されている。土台１４０には、上面の中心から下方に伸びる挿通孔を有し、挿通孔に糸芯１５０が挿入されている。糸芯１５０は、土台１４０の上面から一部が突出している。
【００４５】
＜その他の実施形態＞
以上のとおり、図面を参照しながら本発明の実施形態を説明したが、本発明の趣旨を逸脱しない範囲内で、種々の追加、変更または削除が可能である。本実施形態は、アネモネやマムの花を模したキャンドルであるが、これらに限らずその他の花にも適用できる。また、花芯や花弁の色を同色にしてもよいし、各部材の色を変えてもよい。
【符号の説明】
【００４６】
１  キャンドル
２  花芯
２１  球形部材
２１ａ  挿通孔
２２  椀状部材
３  花弁
４  糸芯
１０  キャンドル
１１  茎
１２  葉
１３  キャンドル
１４  花
１５  土台
１６  糸芯
１００  キャンドル
１１０  花
１２０  花芯
１３０  花弁
１４０  土台
１５０  糸芯
【図１】
2015113470.tif 000003
【図２Ａ】
2015113470.tif 000004
【図２Ｂ】
2015113470.tif 000005
【図３Ａ】
2015113470.tif 000006
【図３Ｂ】
2015113470.tif 000007
【図４】
2015113470.tif 000008